(57)【要約】【解決手段】  本発明は、時計用クロノグラフに関し、クロノグラフは、クロノグラフ秒針を保持可能であり、その上にクロノグラフ歯車（３１）が搭載されるクロノグラフ軸（３２）を含み、クロックワークムーブメントの秒可動部の駆動秒歯車（１）と噛合可能な下部秒クラッチ歯車（２１）と上部秒クラッチ歯車（２５）とを含む、秒クラッチ可動部を含み、秒クラッチ可動部は、振動軸周りの回転により、秒クラッチ可動部の上部秒クラッチ歯車（２５）がクロノグラフ歯車（３１）と噛合するクロノグラフの係合構成と、秒クラッチ可動部の上部秒クラッチ歯車（２５）がもはやクロノグラフ歯車（３１）と噛合しない解放構成とに対応する、２つの位置を占めることができる、クロノグラフであって、秒クラッチ可動部の２つの上部（２５）及び株（２１）秒クラッチ歯車のうち少なくとも１つは、ラッシ補正付き歯車である、クロノグラフ。【選択図】  図１
2021518538.tif 000002
【特許請求の範囲】
【請求項１】
時計ムーブメント用クロノグラフであって、
前記クロノグラフは、クロノグラフ秒針を支持可能であり、クロノグラフ歯車（３１）が搭載されるクロノグラフ真（３２）を含み、
前記クロノグラフは、時計ムーブメントの秒ディスクの駆動秒歯車（１）と噛合可能な下部秒クラッチ歯車（２１）と、上部秒クラッチ歯車（２５）とを含む秒クラッチディスクを含み、前記秒クラッチディスクは、振動軸周りの回転を通じて、一方では前記秒クラッチディスクの前記上部秒クラッチ歯車（２５）が前記クロノグラフ歯車（３１）と噛合するクロノグラフ係合構成に、他方では前記秒クラッチディスクの前記上部秒クラッチ歯車（２５）がもはや前記クロノグラフ歯車（３１）と噛合しない解放構成に対応する２つの位置を占めることができ、
前記秒クラッチディスクの上部（２５）及び下部（２１）秒クラッチ歯車の２つのうち少なくとも１つが、ラッシ補正付き歯車であり、
前記秒クラッチディスクは、その上に前記２つの上部（２５）及び下部（２１）秒クラッチ歯車が配置される秒クラッチ真（２２）を含み、それぞれが係合及び解放の２つの構成を占めることができるよう、その下部支点（２３）に位置する前記秒クラッチ真（２２）に直角な振動軸周りに旋回可能である、
クロノグラフ。
【請求項２】
前記上部秒クラッチ歯車（２５）は、ラッシ補正付き歯車である、
請求項１に記載のクロノグラフ（１）。
【請求項３】
前記秒クラッチディスクの前記上部（２５）及び下部（２１）秒クラッチ歯車がともに、ラッシ補正付き歯車である、
請求項１または２に記載のクロノグラフ（１）。
【請求項４】
前記秒クラッチディスクの前記秒クラッチ真（２２）は、垂直軸（Ｃ）の両側に配置される２つの軸（Ｃ１；Ｃ２）により定義される２つの位置の間で振動する、
請求項１から３のいずれか一項に記載のクロノグラフ（１）。
【請求項５】
前記上部秒クラッチ歯車（２５）は、前記秒クラッチディスクの前記秒クラッチ真（２２）の前記高さの前記上半分に、または前記高さの２／３の点を含みその上方に位置し、ここで高さは振動軸から測定され、及びまたは前記下部秒クラッチ歯車（２１）は、前記秒クラッチディスクの前記秒クラッチ真（２２）の前記高さの前記下半分に、または前記高さの１／３の点を含みその下方に位置する、
請求項１から４のいずれか一項に記載のクロノグラフ（１）。
【請求項６】
前記上部秒クラッチ歯車（２５）は、円形端部（２７）のペナント（２６）形状の歯を含む、
請求項１から５のいずれか一項に記載のクロノグラフ（１）。
【請求項７】
前記下部秒クラッチ歯車（２１）は、ラッシ補正付き分割歯（２８）を含む、
請求項１から６のいずれか一項に記載のクロノグラフ（１）。
【請求項８】
時計ムーブメントであって、前記ムーブメントは、請求項１から７のいずれか一項に記載のクロノグラフを含む、時計ムーブメント。
【請求項９】
前記ムーブメントは、前記クロノグラフの前記秒クラッチディスクの前記下部秒クラッチ歯車（２１）と常時噛合する駆動秒歯車（１）を含む秒ディスクを含む、
請求項８に記載の時計ムーブメント。
【請求項１０】
時計、とりわけ腕時計であって、当該時計は、請求項１から７のいずれか一項に記載のクロノグラフを含む、時計。
【請求項１１】
時計ムーブメント用クラッチであって、
前記クラッチは、時計ムーブメントの第１ディスクの駆動第１歯車と噛合可能な下部クラッチ歯車と、上部クラッチ歯車とを含むクラッチディスクを含み、前記クラッチディスクは、振動軸周りの回転を通じて、一方では前記クラッチディスクの前記上部クラッチ歯車が時計ムーブメントの第２ディスクの第２歯車と噛合可能なクラッチ係合構成に、他方では前記クラッチディスクの前記上部クラッチ歯車がもはや時計ムーブメントの前記第２ディスクの前記第２歯車と噛合可能でない解放構成に対応する２つの位置を占めることができ、
前記クラッチディスクの上部及び下部クラッチ歯車の２つのうち少なくとも１つが、ラッシ補正付き歯車である、
クラッチ。
【発明の詳細な説明】
【技術分野】
【０００１】
本発明は、時計ムーブメント用クロノグラフに関する。本発明はまた、当該クロノグラフを含む、時計ムーブメントと時計に関する。本発明は最後に、時計ムーブメント用クラッチに関する。
【背景技術】
【０００２】
時計クロノグラフは、通常、その動作及び停止を可能にするクラッチを含む。クロノグラフ針の動作は、当該クラッチを含む、複雑な歯車列の結果として得られる。既存の解決策に見られる第１の技術的問題は、当該複雑な歯車列を起因とする、クロノグラフ針のフラッタリング（不規則に速く動くさま）である。既存の解決策に見られる第２の技術的問題は、クロノグラフが開始する際にクロノグラフ針に突然の激しい動きをもたらすクラッチの動作に起因する、クロノグラフ針の開始ジャンプである。この開始ジャンプは、ユーザに、クロノグラフが故障したかのような印象を与える。
【発明の概要】
【発明が解決しようとする課題】
【０００３】
本発明の目的は、上記の問題を克服し、従来技術から既知の解決策を改善する、クロノグラフを提供することである。
【０００４】
より具体的には、本発明の第１目的は、クロノグラフ針のあらゆるフラッタリングを最小化する、または除去する、クロノグラフを提案することである。
【０００５】
本発明の第２の目的は、クロノグラフ針の開始時点のジャンプを最小化する、または除去する、クロノグラフを提案することである。
【課題を解決するための手段】
【０００６】
このため、本発明は、時計用クロノグラフに関し、ここで前記クロノグラフは、クロノグラフ秒針を支持可能であり、クロノグラフ歯車が搭載されるクロノグラフ真を含み、前記クロノグラフは、時計ムーブメントの秒ディスクの駆動秒歯車と噛合可能な下部秒クラッチ歯車と、上部秒クラッチ歯車とを含む秒クラッチディスクを含み、前記秒クラッチディスクは、振動軸周りの回転を通じて、一方では前記秒クラッチディスクの前記上部秒クラッチ歯車が前記クロノグラフ歯車と噛合するクロノグラフ係合構成に、他方では前記秒クラッチディスクの前記上部秒クラッチ歯車がもはや前記クロノグラフ歯車と噛合しない解放構成に対応する２つの位置を占めることができ、前記秒クラッチディスクの上部及び下部秒クラッチ歯車の２つのうち少なくとも１つが、ラッシ（可動部品間の隙間）補正付き歯車である。
【０００７】
秒クラッチディスクは、その上に前記２つの上部及び下部秒クラッチ歯車が配置される秒クラッチ真を含んでもよく、それぞれ係合及び解放の２つの構成を占めることができるよう、その下部支点に位置する前記秒クラッチ真に直角な振動軸周りに旋回可能である。
【０００８】
前記上部秒クラッチ歯車は、ラッシ補正付き歯車であってもよい。
【０００９】
前記秒クラッチディスクの前記上部及び下部秒クラッチ歯車の両者が、ラッシ補正付き歯車であってもよい。
【００１０】
前記秒クラッチディスクの前記秒クラッチ真は、垂直軸の両側に分配される２つの軸により定義される２つの位置の間で振動してもよい。
【００１１】
前記上部秒クラッチ歯車は、前記秒クラッチディスクの前記秒クラッチ真の前記高さの前記上半分に、または前記高さの２／３の点を含みその上方に位置し、ここで高さは振動軸から測定され、また前記下部秒クラッチ歯車は、前記秒クラッチディスクの前記秒クラッチ真の前記高さの前記下半分に、または前記高さの１／３の点を含みその下方に位置してもよい。
【００１２】
前記上部秒クラッチ歯車は、円形端部のペナント（長旗）形状の歯を含んでもよい。
【００１３】
前記下部秒クラッチ歯車は、ラッシ補正付き分割歯を含んでもよい。
【００１４】
本発明はまた、時計ムーブメントに関し、前記ムーブメントは、上述したクロノグラフを含む。
【００１５】
前記時計ムーブメントは、前記クロノグラフの前記秒クラッチディスクの前記下部秒クラッチ歯車と常時噛合する駆動秒歯車を含む秒ディスクを含んでもよい。
【００１６】
本発明はまた、時計、とりわけ腕時計に関し、当該時計は、上述のクロノグラフを含む。
【００１７】
より一般的には、本発明は、上述の特徴を含む、時計ムーブメント用クラッチに関する。
【００１８】
本発明の目的、特徴、及び利点は、添付の図面に関して非限定的例として与えられる特定の実施形態についての以下の説明において、より詳細に説明される。
【図面の簡単な説明】
【００１９】
【図１】図１は、本発明の一実施形態にかかる、係合位置にあるクロノグラフの秒クラッチディスクの軸を通過する平面における断面概略図である。
【図２】図２は、本発明の一実施形態にかかる、解放位置にあるクロノグラフの断面概略図である。
【図３】図３は、本発明の実施形態にかかる秒クラッチディスクの上部秒クラッチ歯車の図である。
【図４】図４は、本発明の実施形態にかかる秒クラッチディスクの下部秒クラッチ歯車の図である。
【発明を実施するための形態】
【００２０】
説明を簡単にするために、慣習に基づき、垂直方向を時計及びクロノグラフの針の回転軸の方向と定める。このため、水平方向は、垂直方向に直角である。
【００２１】
本発明の一実施形態にかかるクロノグラフは、部分的に図１及び２に図示される。当該クロノグラフは、秒ディスクに固定された駆動秒歯車１を含む、第１部品を含む。クロノグラフは、図示しないクロノグラフ秒針を支持するクロノグラフ真３２を回転運動で駆動することが意図されるクロノグラフ歯車３１を含む、第３部品を含む。
【００２２】
本実施形態にかかるクロノグラフは、追加で、振動する秒クラッチディスクの形状をとる、第２中間部品を含む。当該秒クラッチディスクは、その下部支点２３に位置する実質的に水平な軸、すなわち秒クラッチ真２２に直角な軸周りの小さな振幅の回転が与えられることがある、秒クラッチ真２２を含む。このため、その上部ピボット２４は、２つの位置を占めることができる。図１に示すクロノグラフ係合構成に対応する第１位置において、秒クラッチ真２２は、垂直軸Ｃに対して第１軸Ｃ１に沿って第１側に傾斜し、図２に示され、クロノグラフが解放される構成に対応する第２位置において、秒クラッチ真２２は、垂直軸Ｃに対して第２軸Ｃ２に沿って反対の第２側に傾斜し、その上部ピボット２４は一つの側に設定される。ここで、秒クラッチ真２２の下部ピボット２３は固定されたままであることを注記する。
【００２３】
秒クラッチディスクの秒クラッチ真２２は、２つの秒クラッチ歯車を有し、常時回転している。特に、下部秒クラッチ歯車２１は、軸Ｂ周りに１分間に１回転を行う秒歯車１と常時噛合する。上部秒クラッチ歯車２５は、クロノグラフ歯車３１と協働することが意図される。クロノグラフ係合構成において、上部秒クラッチ歯車２５は、クロノグラフ歯車３１と噛合する。このため、振動する秒クラッチディスクは、クロノグラフ歯車３１をその軸Ｄ周りに回転駆動する。解放構成において、秒クラッチ真２２は、上部秒クラッチ歯車２５とクロノグラフ歯車３１のそれぞれの歯がもはや互いに噛合しないように、上部秒クラッチ歯車２５をクロノグラフ歯車３１から離す方向に傾斜される。この解放構成において、秒クラッチ真２２はもはやクロノグラフ歯車３１を回転駆動せず、クロノグラフ秒針は回転されない。
【００２４】
このため、秒クラッチディスクは、クロノグラフ用クラッチの役割を果たす。秒クラッチディスクは、クロノグラフの様々な機能（例えば開始、停止）の間、秒クラッチレバー４の軸Ａ周りの回転により、動作可能である。
【００２５】
図３は、秒クラッチディスクの上部秒クラッチ歯車２５を、より具体的に図示する。上部秒クラッチ歯車は、秒クラッチ真２２の高さの実質的に２／３の高さに、より一般的には秒クラッチ真２２の高さの上半分に、より具体的にはこの高さの２／３を含めてそれより上方に位置され、この高さはその下部回転軸から測定される。実施形態によっては、当該上部秒クラッチ歯車２５は、ラッシ補正付き歯車である。上部秒クラッチ歯車は、弾性ペナント２６の形状の歯を含む。各弾性ペナント２６は、歯車の回転方向に対して後方に延びる弾性ブレードの形状を取る。当該ブレードは、わずかな曲率を示し、その曲率中心は歯車の側面に位置する。各ペナントは、追加で、円形端部２７を有する。当該円形端部は、小さな球体であって、その中心がペナント２６の延長ではなく、延長の前方に位置する球体に例えることができる。円形端部２７の弾性ペナントの形状の歯２６は、クロノグラフ歯車３１に属する従来の三角形歯と協働する。上部秒クラッチ歯車２５のこのような歯の形状は、秒クラッチ真２２の振動運動または数度にわたるわずかな回転を補完して、クロノグラフ歯車と円滑に係合することを可能にし、これは穏やかな係合に有利である。各端部２７は、自身を２つの三角形歯の間に位置させ、その円形形状は、連続運動で、クロノグラフ歯車の歯の先端を叩くことなく２つの歯の２つの先端間に滑り込むことで挿入されることを可能にする。ペナントの弾力性によって、あらゆる噛合ラッシを排除し、あらゆるディスクの同心度の欠如を吸収するための、歯の組の根元間の深い係合が可能になる。更に、クロノグラフ歯車に多数の歯を、例えば１８０以上の数の歯を設けることが重要である。
【００２６】
図４は、秒クラッチディスクの下部秒クラッチ歯車２１を、より具体的に図示する。下部秒クラッチ歯車は、秒クラッチ真２２の高さの実質的に１／３の高さ、より一般的には秒クラッチ真の高さの１／３を含めてそれより下方に、より一般的には秒クラッチ真２２の高さの下半分に位置され、この高さはその下部回転軸から測定される。回転軸に近いこの位置は、当該下部秒クラッチ歯車２１の、小さな並進運動に例えることができる小さな振幅の運動につながる。秒クラッチディスクの振動による小さな並進運動のため、固定された秒歯車１と下部秒クラッチ歯車２１との間の相互噛合は、あまり大きく阻害されず、クラッチ機能の動作は、従来技術の水平クラッチ係合では引き起こされるクロノグラフ針の開始ジャンプを引き起こさない、または実質的に引き起こさない。加えて、係合時に秒歯車１と下部秒クラッチ歯車２１との間の相互噛合が非常にわずかにしか変更されないことは、当該解決策を、クロノグラフ針のあらゆるフラッタリングを減少する、または排除するのに好ましい、ラッシ補正する歯プロファイルの使用と両立可能にする。このため、本実施形態によれば、当該下部秒クラッチ歯車２１は、ラッシ補正付き歯車である。下部秒クラッチ歯車は、開口の両側にそれぞれ分配される２つの弾性ブレードで形成される分裂歯２８を含む。従来技術の水平クラッチのように、秒歯車１に対する下部秒クラッチ歯車２１のより大きな動きにつながりかねないクラッチの場合、ラッシ補正付き歯車を使用することは、開始ジャンプの欠点を増大させてしまうことを注記する。
【００２７】
このため、軸周りの小さな回転または振動を通じてクラッチ機能を発揮する秒クラッチディスクの使用を、１以上のラッシを補正する歯車の使用と組み合わせることは、あらゆるフラッタリングとあらゆる開始ジャンプを大きく減少させる、または除去することを可能にすることが明らかである。
【００２８】
もちろん、本発明は上述した実施形態に限定されない。特に、２つの秒クラッチ歯車２１、２５は、両者がラッシ補正機能を実行することを条件として、他の形状を示してもよい。例えば、ラッシ補正は、外縁と関連する弾性アームを介して実行されてもよく、この場合その歯は従来の形状を取ることができる。
【００２９】
図示しない他の実施形態によれば、クラッチは、ラッシ補正プロファイル付の歯を含む２つの歯車のうち１つのみが設けられてもよく、この場合はクロノグラフの動作を、特にその開始ジャンプに関して、改善することができる。
【００３０】
実施形態にかかるクロノグラフは、時計ムーブメント用および時計用が意図される。時計は、例えば、小型時計、特に腕時計である。時計は、機械式時計ムーブメントを含んでもよい。時計ムーブメントは、例えば、手動巻き上げまたは自動巻き上げ型である。
【００３１】
クラッチ機構は、上記実施形態において、時計ムーブメントクロノグラフ内のものとして説明された。しかしながら当該機構は、より一般的な意味で、時計ムーブメントのあらゆる２つのディスク間のクラッチとして実施されてもよい。このため、本発明は、時計ムーブメント用クラッチにも関し、当該クラッチは、時計ムーブメントの第１ディスクの駆動第１歯車と噛合可能な下部秒クラッチ歯車と、上部秒クラッチ歯車とを含むクラッチディスクを含み、当該クラッチディスクは、振動軸周りの回転を通じて、一方ではクラッチディスクの上部クラッチ歯車が時計ムーブメントの第２ディスクの第２歯車と噛合可能なクラッチ係合構成に、他方ではクラッチディスクの上部クラッチ歯車がもはや時計ムーブメントの第２ディスクの第２歯車と噛合可能でない解放構成に対応する２つの位置を占めることができ、クラッチディスクの上部及び下部クラッチ歯車の２つのうち少なくとも１つが、ラッシ補正付き歯車である。当該クラッチは、クロノグラフ用秒クラッチディスクに関連して上述した全てのまたは一部の特徴を備えてもよい。
【図１】
2021518538.tif 000003
【図２】
2021518538.tif 000004
【図３】
2021518538.tif 000005
【図４】
2021518538.tif 000006
【国際調査報告】
2021518538.tif 000007
2021518538.tif 000008
2021518538.tif 000009
2021518538.tif 000010